(57)【要約】【課題】  電源電圧に影響を与える電磁波を遮蔽することができる電磁波遮蔽手段を備えた能動素子表示装置を提供する。【解決手段】  本発明は、能動素子ディスプレイ装置において、素子が一列に配置され又はデルタ構造で配列されてデータ信号に従って発光する画素領域と、一定のスイッチング信号を一つ目のスイッチング素子のゲート電極に印加するスキャンドライバと、一定のデータ情報を一つ目のスイッチング素子のソース電極に印加するデータドライバと、画素領域に第１の電源電圧を印加する導電特性を有する電圧供給ラインを含むディスプレイ装置において、電界や磁界特性を有する電磁波を遮蔽する手段を備えることを特徴とする。ここで、前記電界や磁界を遮蔽する手段に、電圧を供給する遮蔽電圧発生手段をさらに備える。そして、前記電界や磁界の遮蔽手段は、前記第１の電源電圧と反対の極性を有する第２の電源電圧であることを特徴とする。【選択図】  図２
2005148757.tif 000002
【特許請求の範囲】
【請求項１】
素子が一列に配置され又はデルタ構造で配列されてデータ信号に従って発光する画素領域と、一定のスイッチング信号を一つ目のスイッチング素子のゲート電極に印加するスキャンドライバと、一定のデータ情報を一つ目のスイッチング素子のソース電極に印加するデータドライバと、画素領域に第１の電源電圧を印加する導電特性を有する電圧供給ラインと、を含む能動素子ディスプレイ装置にあって、
電界や磁界の特性を有する電磁波を遮蔽する手段を備えることを特徴とする能動素子ディスプレイ装置。
【請求項２】
前記電界や磁界を遮蔽する手段に電圧を供給する遮蔽電圧発生手段をさらに備える電磁波遮蔽手段を含むことを特徴とする請求項１に記載の能動素子表示装置。
【請求項３】
前記電界や磁界の遮蔽手段は、第２の電源電圧を発生させる電磁波遮蔽手段を含むことを特徴とする請求項２に記載の能動素子表示装置。
【請求項４】
前記第２の電源電圧は、前記第１の電源電圧と反対の極性を有することを特徴とする請求項３に記載の能動素子表示装置。
【請求項５】
前記電磁波遮蔽手段は、前記第１の電源電圧ラインと平行に配線された電導性配線であることを特徴とする請求項３に記載の能動素子表示装置。
【請求項６】
素子が一列に配置され又はデルタ構造で配列されてデータ信号に従って発光する画素領域と、一定のスイッチング信号を一つ目のスイッチング素子の電極に印加するスキャンドライバと、一定のデータ情報を一つ目のスイッチング素子のソース電極に印加するデータドライバと、画素領域に第１の電源電圧を印加する導電特性を有する電圧供給ラインと、を含む能動素子表示装置にあって、
前記第１の電源電圧ラインと平行に配列されたメタルラインを有することを特徴とする能動素子表示装置。
【請求項７】
前記メタルラインが前記第１の電源電圧ラインの内側に配置された電磁波遮蔽手段を有することを特徴とする請求項６に記載の能動素子表示装置。
【請求項８】
前記メタルラインが前記第１の電源電圧ラインの外側に配置された電磁波遮蔽手段を有することを特徴とする請求項６に記載の能動素子表示装置。
【請求項９】
前記メタルラインが前記第１の電源電圧ラインの内側と外側にそれぞれ配置された電磁波遮蔽手段を有することを特徴とする請求項６に記載の能動素子表示装置。
【請求項１０】
前記メタルラインに遮蔽電圧を印加する遮蔽電圧発生手段をさらに有することを特徴とする請求項６に記載の能動素子表示装置。
【請求項１１】
前記遮蔽電圧発生手段は、
前記第１の電源電圧と反対の極性を有する第２の電源電圧を前記メタルラインに印加することを特徴とする請求項１０に記載の能動素子表示装置。
【請求項１２】
素子が一列に配列され又はデルタ構造で配列されデータ信号に従って発光する画素領域と、一定のスイッチング信号を一つ目のスイッチング素子のゲート電極に印加するスキャンドライバと、一定のデータ警報を一つ目のスイッチング素子のソース電極に印加するデータドライバと、画素領域に第１の電源電圧を印加する導電特性を有する電圧供給ラインと、を含む能動素子ディスプレイ装置にあって、
前記第１の電源電圧ラインと平行に配列されて接地端子に接続されたメタルラインを有することを特徴とする能動素子表示装置。
【発明の詳細な説明】
【技術分野】
【０００１】
本発明は、能動素子表示装置（エレクトロルミネセンス表示装置）に関するもので、詳しくは第１の電源電圧ラインに遮蔽手段を設けることにより、外部または内部のＥＭＩ(electromagnetic interference)による電源電圧のノイズなどを防止するようにＥＭＩを遮蔽することができる電磁波遮蔽手段を備えた能動素子表示装置(Ｅｌｅｃｔｒｏ  ｌｕｍｉｎｅｓｃｅｎｃｅ  ｄｉｓｐｌａｙ  ｃｏｎｔａｉｎｅｄ  ＥＭＩ  ｓｈｉｅｌｄｉｎｇ  ｍｅａｎｓ)に関する。
【背景技術】
【０００２】
近来、陰極線管（Ｃａｔｈｏｄｅ  Ｒａｙ  Ｔｕｂｅ）の短所である重さと大きさを減らすことのできる各種の平板表示装置が開発されている。このような平板表示装置は、液晶表示装置（Ｌｉｑｕｉｄ  Ｃｒｙｓｔａｌ  Ｄｉｓｐｌａｙ）、電界放出表示装置（Ｆｉｅｌｄ  Ｅｍｉｓｓｉｏｎ  Ｄｉｓｐｌａｙ）、プラズマディスプレイパネル（Ｐｌａｓｍａ  Ｄｉｓｐｌａｙ  Ｐａｎｅｌ）、及び能動素子表示装置（Ｅｌｅｃｔｒｏ  Ｌｕｍｉｎｅｓｃｅｎｃｅ  Ｄｉｓｐｌａｙ）などがある。
【０００３】
この中で能動素子表示装置は、電子及び正孔などのキャリアーを用いて蛍光物質を励起させて画像または映像を表示することで、直流の低電圧で駆動することができ、応答速度も速く次世代のディスプレイとして、最近新製品に関する研究が加速されている。
【０００４】
このような能動素子表示装置は、大きく分けてパッシブマトリックス型と、アクティブマトリックス型に分類でき、この中でアクティブマトリックス型の能動素子表示装置は、それぞれの画素に能動スイッチング素子を設け、その画素の画像データによる電圧または電流を印加して発光素子を駆動させる表示装置である。このようなアクティブマトリックス型の能動素子表示装置を図１に示す。
【０００５】
図１は、従来のアクティブマトリックス型の能動素子表示装置を示す平面図である。
図面での符号１００は能動素子表示装置、１１０は上部第１の電源電圧ライン、１２０は下部第１の電源電圧ライン、１３０は第２の電源電圧ライン、１４０はスキャンドライバ、１５０はデータドライバ、１６０はアクティブ第１の電源電圧ライン、１７０は画素領域である。
【０００６】
図１に示すように従来の能動素子表示装置１００は、選択信号を印加するスキャンドライバ１４０と、データ信号を印加するデータドライバ１５０と、該スキャンドライバ１４０と該データドライバ１５０とから印加される選択信号とデータ信号とに従って光を発光する画素領域１７０と、電源電圧を伝送する上部、下部第１の電源電圧ライン１１０、１２０と、第２の電源電圧を伝送する第２の電源電圧ライン１３０と、前記第１の電源電圧ライン１１０、１２０から伝送される電源電圧と第２の電源電圧ライン１３０に伝送される第２の電源電圧を画素領域１７０に印加するアクティブ第１の電源電圧ライン１６０を含む。
【０００７】
スキャンドライバ１４０とデータドライバ１５０とから選択信号とデータ信号とが前記画素領域１７０に印加されると、前記画素領域１７０のスイッチング及び駆動トランジスタ（図示せず）が駆動され、前記第１の電源電圧ライン１１０、１２０と第２の電源電圧ライン１３０を介して第１の電源電圧と第２の電源電圧が前記画素領域１７０に印加されることによって前記画素領域１７０の各画素セルが発光する。ここで、前記第１及び第２の電源電圧は、相互に反対の極性を有する電源電圧であることを特徴とする。
【０００８】
しかしながら、このような従来の能動素子表示装置は、外部または内部から加えられる電磁波によって前記電源電圧の波形が歪曲されるという問題が発生する。すなわち、前記上部及び下部第１の電源電圧ラインによって伝送される電源電圧は、外部または内部から伝送される電磁波に起因するノイズを含み、これにより輝度が不均一になるという問題点がある。
【発明の開示】
【発明が解決しようとする課題】
【０００９】
このような問題点を解決するために案出された本発明は、第１の電源電圧ラインと平行に電磁波遮蔽手段を構成し、該電磁波遮蔽手段に特定電圧を印加させることで前記電磁波を吸収し、前記電源電圧に影響を与える電磁波を遮蔽することができる電磁波遮蔽手段が含まれている能動素子表示装置を提供する。
【課題を解決するための手段】
【００１０】
このような目的を達成するために本発明の構成は、能動素子ディスプレイ装置にあって、素子が一列に配置され又はデルタ構造で配列されてデータ信号に従って発光する画素領域と、一定なスイッチング信号を一つ目のスイッチング素子のゲート電極に印加するスキャンドライバと、一定のデータ情報を一つ目のスイッチング素子のソース電極に印加するデータドライバと、画素領域に第１の電源電圧を印加する導電特性を有する電圧供給ラインを含むディスプレイ装置にあって、電界または磁界特性を有する電磁波を遮蔽する手段を備えることを特徴とする。
【００１１】
ここで、前記電界や磁界を遮蔽する手段に電圧を供給する遮蔽電圧発生手段をさらに備える。
そして、前記電界や磁界の遮蔽手段は第２の電源電圧を発生させることを特徴とする。
同時に、前記第２の電源電圧は、前記第１の電源電圧と反対の極性を有する電源であることを特徴とする。
そして、前記電磁波遮蔽手段は、前記第１の電源電圧ラインと平行に配線される電導性配線であることを特徴とする。
【００１２】
また、素子が一列に配置され又はデルタ構造で配列されてデータ信号に従って発光する画素領域と、一定なスイッチング信号を一つ目のスイッチング素子のゲート電極に印加するスキャンドライバと、一定なデータ情報を一つ目のスイッチング素子のソース電極に印加するデータドライバと、画素領域に第１の電源電圧を印加する導電特性を有する電圧供給ラインを含む能動素子ディスプレイ装置にあって、前記第１の電源電圧ラインと平行に配列されるメタルラインを含む。
【００１３】
同時に、前記メタルラインは、前記第１の電源電圧ラインの内側に配置されることを特徴とする。
または、前記メタルラインは、前記第１の電源電圧ラインの外側に配置されることを特徴とする。
または、前記メタルラインは、前記第１の電源電圧ラインの内側と外側にそれぞれ配置されることを特徴とする。
同時に、前記メタルラインに遮蔽電圧を印加する遮蔽電圧発生手段をさらに含む。
また、前記遮蔽電圧発生手段は、前記第１の電源電圧と反対の極性を有する第２の電源電圧を前記メタルラインに伝送することを特徴とする。
【００１４】
または、素子が一列に配置され又はデルタ構造で配列されてデータ信号に従って発光する画素領域と、一定なスイッチング信号を一つ目のスイッチング素子のゲート電極に印加するスキャンドライバと、一定なデータ情報を一つ目のスイッチング素子のソース電極に印加するデータドライバと、画素領域に第１の電源電圧を印加する導電特性を有する電圧供給ラインを含む能動素子ディスプレイ装置にあって、前記第１の電源電圧ラインと平行に配列されて接地端子に接続されるメタルラインを含む。
【発明の効果】
【００１５】
本発明は、第１の電源電圧ラインと平行に配線されたメタルラインにより電磁波が遮蔽されるために電源電圧のノイズが発生せず、前記電磁波による輝度の不均一性を改善できる。
【発明を実施するための最良の形態】
【００１６】
以下に本発明の好ましい実施の形態を、添付の図面を参照して詳しく説明する。
図２は、本発明の好ましい実施の形態を示す平面図である。
図面において、符号２００は能動素子表示装置、２１０は上部第１の電源電圧ライン、２２０は下部第１の電源電圧ライン、２３０は第２の電源電圧ライン、２４０はスキャンドライバ、２５０はデータドライバ、２６０はアクティブ第１の電源電圧ライン、２７０は画素領域、２８０はメタルライン、２９０は遮蔽電圧発生手段である。
【００１７】
図２に示すように、本発明の能動素子表示装置２００は、スキャンドライバ２４０と、データドライバ２５０と、前記スキャンドライバ２４０と前記データドライバ２５０とから印加される選択信号とデータ信号とに従って光を発光する画素領域２７０と、第１の電源電圧を伝送する上部および下部第１の電源電圧ライン２１０、２２０と、前記第１の電源電圧ライン２１０、２２０から伝送される電源電圧を画素領域２７０に印加するアクティブ第１の電源電圧ライン２６０と、画素領域２７０に第２の電源電圧を印加する第２の電源電圧ライン２３０と、前記第１の電源電圧ライン２１０、２２０と平行に配線されて電磁波を遮蔽するメタルライン２８０と、前記メタルライン２８０に遮蔽電圧を印加する遮蔽電圧発生手段２９０を含む。
【００１８】
スキャンドライバ２４０とデータドライバ２５０とに選択信号及びデータ信号が前記画素領域２７０に印加されると、前記画素領域２７０のスイッチング及び駆動トランジスタ（図示せず）がオンとなる。この前記画素領域２７０の駆動トランジスタがオンになることで、前記上部及び下部第１の電源電圧ライン２１０、２２０に印加される電源電圧が前記アクティブ第１の電源電圧ライン２６０を介して前記画素領域２７０に印加されることによって前記画素領域２７０が発光する。
【００１９】
同時に、遮蔽電圧発生手段２９０は、特定の電圧を前記メタルライン２８０に印加することで、前記上部及び下部第１の電源電圧ライン２１０、２２０とそれぞれ平行に配線されたメタルライン２８０には特定の電流が流れる。ここで、前記メタルライン２８０に印加される特定の電圧は、前記第１の電源電圧と反対の極性を有する電源であることが好ましい。
【００２０】
また、図２及び図３には、前記メタルライン２８０と第１の電源電圧ライン２１０とが一定の間隔を有して平行に配線されているが、場合によっては、別途の絶縁手段で両ライン間を絶縁させることで本発明の目的を達成させることも可能である。
【００２１】
従って、外部から加わる電界または磁界の特性を有する電磁波が前記第１の電源電圧ライン２１０、２２０に加わると、前記第１の電源電圧ライン２１０、２２０と平行に配置されたメタルライン２８０により前記電磁波は遮蔽される。すなわち、メタルライン２８０に印加された電圧は、前記第１の電源電圧と反対の極性を有し、正から負、または負から正に流れる電気的特性によって前記電磁波は前記メタルライン２８０により吸収されるので、前記電源電圧は電磁波の影響を受けない。
【００２２】
図３は、本発明の第２の実施形態を示す平面図である。
図３に示すように本発明の他の実施形態は、前記メタルライン２８０にそれぞれ接続された接地端子２９１を備える。従って、前記第１の電源電圧ライン２１０、２２０に加わる電磁波は、前記メタルライン２８０によって吸収されて接地されるので、前記電源電圧は前記電磁波から遮蔽される。
【００２３】
図４は、本発明の第３の実施形態を示す平面図である。
上述したように本発明の第１の実施形態では、前記メタルライン２８０が上部第１の電源電圧ライン２１０の内側に構成されることを例として説明したが、第３の実施形態では前記メタルライン２８０が上部第１の電源電圧ライン２１０の外側に配置され、そのことも本発明の要旨に当該する。
【００２４】
すなわち、前記メタルライン２８０は、前記上部第１の電源電圧ライン２１０の外側に、前記上部第１の電源電圧ライン２１０と一定な間隔をおいて、または絶縁手段（図示せず）により絶縁され配置され、外部から印加される電磁波を遮蔽する。
【００２５】
図５は、本発明の第４の実施形態を示す平面図である。
図５に示すように本発明の第４の実施形態は、上部第１の電源電圧ライン２１０の内側と外側にそれぞれのメタルライン２８０を構成することによって外部から加わる電磁波を遮蔽する。すなわち、前記上部第１の電源電圧ライン２１０の内側と外側にそれぞれ配置されたメタルライン２８０に特定の電圧を印加することで、外部から印加される電磁波を遮蔽する。
【００２６】
前記発明の詳細な説明は、本発明の特定の実施形態を例として説明したが、本発明はこれに限定されず、本発明の概念を逸脱しない範囲内で、本発明が属する技術分野における通常の知識を有する者により多様な形態に変形し、または変更実施することも本発明の概念に含まれるものである。
【図面の簡単な説明】
【００２７】
【図１】従来の能動素子表示装置を示す平面図である。
【図２】本発明の第１の実施形態を示す平面図である。
【図３】本発明の第２の実施形態を示す平面図である。
【図４】本発明の第３の実施形態を示す平面図である。
【図５】本発明の第４の実施形態を示す平面図である。
【符号の説明】
【００２８】
２００：能動素子表示装置
２１０：上部第１の電源電圧ライン
２２０：下部第１の電源電圧ライン
２３０：第２の電源電圧ライン
２４０：スキャンドライバ
２５０：データドライバ
２６０：アクティブ第１の電源電圧ライン
２７０：画素領域
２８０：メタルライン
２９０：遮蔽電圧発生手段
【図１】
2005148757.tif 000003
【図２】
2005148757.tif 000004
【図３】
2005148757.tif 000005
【図４】
2005148757.tif 000006
【図５】
2005148757.tif 000007